(57)【要約】【課題】第三者のモバイル型記憶装置へのアクセスを防止し、セキュリティをより向上させる。【解決手段】電界伝達媒体を介して通信可能なモバイル記憶装置４であって、送信すべき情報に基づく電界を電界伝達媒体に誘起させるとともにこの誘起した電界を検出して情報の送受信を行うトランシーバと、データを記憶する記憶手段と、電界通信媒体を介してユーザＩＤを受信し、受信したユーザＩＤが前記記憶手段にあらかじめ記憶されたユーザＩＤと一致するか否かを判別し、一致した場合に情報処理装置から前記記憶手段へのアクセスを許可する制御手段と、を有する。【選択図】図２
2007189310.tif 000002
【特許請求の範囲】
【請求項１】
電界伝達媒体を介して通信可能なモバイル記憶装置であって、
送信すべき情報に基づく電界を電界伝達媒体に誘起させるとともにこの誘起した電界を検出して情報の送受信を行うトランシーバと、
データを記憶する記憶手段と、
電界通信媒体を介してユーザＩＤを受信し、受信したユーザＩＤが前記記憶手段にあらかじめ記憶されたユーザＩＤと一致するか否かを判別し、一致した場合に情報処理装置から前記記憶手段へのアクセスを許可する制御手段と、を有すること
を特徴とするモバイル記憶装置。
【請求項２】
請求項１記載のモバイル記憶装置であって、
前記制御手段は、前記受信したユーザＩＤが前記記憶手段に記憶されたユーザＩＤと一致する場合、所定の時間内に限り前記情報処理装置からのアクセスを許可し、所定の時間が経過した後は前記情報処理装置からのアクセスを拒否すること
を特徴とするモバイル記憶装置。
【請求項３】
請求項１記載のモバイル記憶装置であって、
当該モバイル記憶装置と前記情報処理装置との通信状態を監視し、通信路の切断を検出した場合に切断通知を前記制御部に送出する通信監視手段を、さらに有し、
前記制御手段は、前記切断通知を受け付けると、前記情報処理装置からのアクセスを拒否すること
を特徴とするモバイル記憶装置。
【請求項４】
電界伝達媒体を介して通信可能なモバイル記憶システムであって、
ユーザＩＤを発信する発信機と、モバイル記憶装置と、情報処理装置と、を有し、
前記発信機は、
送信すべき情報に基づく電界を電界伝達媒体に誘起させるとともにこの誘起した電界を検出して情報の送受信を行う第１のトランシーバと、
当該発信機のユーザＩＤを、前記第１のトランシーバを用いて所定のタイミングで発信する発信手段と、を有し、
前記モバイル記憶装置は、
送信すべき情報に基づく電界を電界伝達媒体に誘起させるとともにこの誘起した電界を検出して情報の送受信を行う第２のトランシーバと、
データを記憶する記憶手段と、
前記第２のトランシーバを用いて前記ユーザＩＤを受信し、受信したユーザＩＤが前記記憶手段にあらかじめ記憶されたユーザＩＤと一致するか否かを判別し、一致した場合に前記情報処理装置から前記記憶手段へのアクセスを許可する制御手段と、を有すること
を特徴とするモバイル記憶システム。
【請求項５】
請求項４記載のモバイル記憶システムであって、
前記モバイル記憶装置の制御手段は、前記受信したユーザＩＤが前記記憶手段に記憶されたユーザＩＤと一致する場合、所定の時間内に限り前記情報処理装置からのアクセスを許可し、所定の時間が経過した後は前記情報処理装置からのアクセスを拒否すること
を特徴とするモバイル記憶システム。
【請求項６】
請求項４記載のモバイル記憶システムであって、
前記モバイル記憶装置は、
当該モバイル記憶装置と前記情報処理装置との通信状態を監視し、通信路の切断を検出した場合に切断通知を前記制御部に送出する通信監視手段を、さらに有し、
前記制御手段は、前記切断通知を受け付けると、前記情報処理装置からのアクセスを拒否すること
を特徴とするモバイル記憶システム。
【発明の詳細な説明】
【技術分野】
【０００１】
本発明は、送信すべき情報に基づく電界を電界伝達媒体に誘起させるとともにこの誘起した電界を検出して情報の送受信を行うトランシーバを用いたモバイル記憶装置、およびモバイル記憶システムに関する。
【背景技術】
【０００２】
携帯端末の小型化および高性能化によりウェアラブルコンピュータが注目されているが、図９はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とＰＣ８間とのデータ通信に使用されるトランシーバ９は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うものである。
【０００４】
なお、トランシーバ９については、例えば特許文献１に記載されている。
【特許文献１】特開２００１−３５２２９８号公報
【発明の開示】
【発明が解決しようとする課題】
【０００５】
さて、ＵＳＢ（Universal Serial Bus）メモリ、ＭＯ（Magneto-Optical disk）などの持ち歩き可能な記憶装置（記憶媒体）が使用されている。このようなモバイル型記憶装置は、コンピュータと切り離して持ち歩き、任意の場所のコンピュータに接続して使用できるため、ユーザにとって便利である。
【０００６】
しかしながら、モバイル型記憶装置は、持ち歩きが可能であることから盗難などにより紛失する危険性がある。すなわち、悪意のある第三者がモバイル型記憶装置を不正に取得した場合、第三者はモバイル型記憶装置にアクセスし、当該記憶装置に記憶された情報を取得することができる。そして、第三者により、モバイル型記憶装置に記憶された情報が悪用されてしまうという問題がある。
【０００７】
本発明は、上記目的を解決するためになされたものであり、第三者のモバイル型記憶装置へのアクセスを防止し、セキュリティをより向上させることを目的とする。
【課題を解決するための手段】
【０００８】
上記目的を達成するため、第１の本発明は、電界伝達媒体を介して通信可能なモバイル記憶装置であって、送信すべき情報に基づく電界を電界伝達媒体に誘起させるとともにこの誘起した電界を検出して情報の送受信を行うトランシーバと、データを記憶する記憶手段と、電界通信媒体を介してユーザＩＤを受信し、受信したユーザＩＤが前記記憶手段にあらかじめ記憶されたユーザＩＤと一致するか否かを判別し、一致した場合に情報処理装置から前記記憶手段へのアクセスを許可する制御手段と、を有する。
【０００９】
また、第２の本発明は、電界伝達媒体を介して通信可能なモバイル記憶システムであって、ユーザＩＤを発信する発信機と、モバイル記憶装置と、情報処理装置と、を有し、前記発信機は、送信すべき情報に基づく電界を電界伝達媒体に誘起させるとともにこの誘起した電界を検出して情報の送受信を行う第１のトランシーバと、当該発信機のユーザＩＤを、前記第１のトランシーバを用いて所定のタイミングで発信する発信手段と、を有し、前記モバイル記憶装置は、送信すべき情報に基づく電界を電界伝達媒体に誘起させるとともにこの誘起した電界を検出して情報の送受信を行う第２のトランシーバと、データを記憶する記憶手段と、前記第２のトランシーバを用いて前記ユーザＩＤを受信し、受信したユーザＩＤが前記記憶手段にあらかじめ記憶されたユーザＩＤと一致するか否かを判別し、一致した場合に前記情報処理装置から前記記憶手段へのアクセスを許可する制御手段と、を有する。
【発明の効果】
【００１０】
本発明によれば、第三者のモバイル型記憶装置へのアクセスを防止し、セキュリティをより向上させることができる。
【発明を実施するための最良の形態】
【００１１】
以下、本発明の実施の形態を、図面を用いて説明する。
【００１２】
＜第１の実施の形態＞
図１は、本発明の実施形態に用いられるトランシーバ１の概略構成図である。図１に示すトランシーバ１は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うトランシーバである。
【００１３】
より詳しくは、トランシーバ１は、コンピュータ２からの送信データを入出力（Ｉ／Ｏ）回路９０１を介して受け取ると、この送信データを送信部９０２を介して送受信電極９０３に供給し、該送受信電極９０３および絶縁膜９０４を介して電界伝達媒体に電界を誘起させ、この電界を電界伝達媒体の他の部位に伝達させるようになっている。また、トランシーバ１は、電界伝達媒体に誘起されて伝達されてくる電界を絶縁膜９０４を介して送受信電極９０３で検出し、この電界を電界検出光学部９０５に結合して電気信号に変換する。そして、この電気信号は、信号処理回路９０６で増幅、ノイズ除去などの信号処理を施され、更に波形整形回路９０７で波形整形してから入出力回路９０１を介してコンピュータ２に出力するようになっている。
【００１４】
図２および図３は、トランシーバ１を利用した具体例であるモバイル記憶システムを示している。
【００１５】
図２（ａ）は、ユーザが、発信機３とモバイル型記憶装置４とを所持（装着、携帯）している状態を示した図である。ユーザは、発信機３を常時、携帯しているものとする。発信機３は、当該発信機３を携帯しているユーザのユーザＩＤ（または、発信機３の識別情報）を、所定のタイミングで発信する。モバイル型記憶装置４は持ち歩き可能な記憶装置であって、ユーザは、例えば洋服のポケットなどにモバイル型記憶装置４を入れて持ち歩いているものとする。そして、ユーザが発信機３とともにモバイル型記憶装置４を携帯している場合、モバイル型記憶装置４は、発信機３が発信するユーザＩＤを受信することができる。
【００１６】
図２（ｂ）は、発信機３の概略構成図である。図示する発信機３は、ユーザＩＤ発信機３１と、トランシーバ３２とを有する。ユーザＩＤ発信機３１は、当該発信機３を所持しているユーザのユーザＩＤを、所定のタイミングでモバイル型記憶装置４に発信する。すなわち、ユーザＩＤ発信機３１は、トランシーバ３２を用いて、電界通信媒体であるユーザの人体を介して、モバイル型記憶装置４にユーザＩＤを送信する。なお、ユーザＩＤは、ユーザ毎（または発信機３毎）にあらかじめ設定され、発信機３のメモリ（不図示）などに記憶されているものとする。トランシーバ３２は、図１で説明したトランシーバ１と同様である。
【００１７】
図２（ｃ）は、モバイル型記憶装置４の概略構成図である。図示するモバイル型記憶装置４は、記憶装置４１と、図１に示すトランシーバ１と同様のトランシーバ４２とを有する。記憶装置４１は、制御部４１１と、タイマー監視部４１２と、通信監視部４１３と、記憶部４１５とを有する。制御部４１１は、発信機３が発信したユーザＩＤを受信するとともに、後述する情報処理装置からのアクセスを制御する。タイマー監視部４１２は、時間の経過を測定（監視）する。通信監視部４１３は、情報処理装置および発信機３との通信状態を監視する。記憶部４１５は、データを記憶する記憶装置であって、例えばＵＳＢメモリなどを用いることが考えられる。なお、記憶部４１５の所定の記憶領域には、当該モバイル型記憶装置４の正当な所有者のユーザＩＤがあらかじめ記憶されているものとする。
【００１８】
図３は、図２に示すモバイル型記憶装置４が、テーブルなどの電界通信媒体９を介して情報処理装置５と通信可能な状態に配置された図である。
【００１９】
情報処理装置５は、コンピュータ５１、図１に示すトランシーバ１と同様のトランシーバ５２と、とを有する。コンピュータ５１は、ＣＰＵと、メモリと、外部記憶装置と、入力装置と、出力装置と、通信制御装置とを備えた汎用的なコンピュータシステムであって、例えばパソコなどを用いることが考えられる。
【００２０】
次に、モバイル記憶システムの処理について説明する。
【００２１】
ユーザが常に携帯する発信機３は、当該発信機３を携帯している正当なユーザのユーザＩＤを、所定のタイミングで定期的に発信する。すなわち、ユーザＩＤ発信機３１は、メモリなどに記憶されたユーザＩＤを読み出し、トランシーバ３２および電界通信媒体（ユーザの人体）を介して、読み出したユーザＩＤをモバイル型記憶装置４に所定のタイミングで送信する。
【００２２】
ユーザがモバイル型記憶装置４をポケットなどに入れて装着している場合（図２（ａ）参照）、発信機３から発信されたユーザＩＤは、電界通信媒体（ユーザの人体）を通信路として、モバイル型記憶装置４に到達する。すなわち、モバイル型記憶装置４の制御部４１１は、電界通信媒体（ユーザの人体）を介してトランシーバ４２が受信したユーザＩＤを、取得することができる。一方、モバイル型記憶装置４がユーザの体から離れている場合、発信機３とモバイル型記憶装置４との間の通信路が切断されてしまうため（通信路が存在しなくなるため）、モバイル型記憶装置４は、発信機３が発信したユーザＩＤを受信することができない。
【００２３】
図４は、モバイル型記憶装置４の処理を示すフローチャートである。モバイル型記憶装置４の制御部４１１は、発信機３から所定のタイミングで送信されるユーザＩＤを、電界通信媒体を介して受信する（Ｓ１１）。なお、通信監視部４１３は、一旦、発信機３との通信路が確立された後は、リンクパルスなどの接続信号を送受信することにより、発信機３との通信状態（接続状態）を監視するものとする。
【００２４】
そして、制御部４１１は、受信したユーザＩＤが当該モバイル型記憶装置４の記憶部４１５に記憶されたユーザＩＤと一致するか否かを判別する（Ｓ１２）。ユーザＩＤが一致する場合（Ｓ１２：ＹＥＳ）、制御部４１１は、発信機３を所持しているユーザが当該モバイル型記憶装置４の正当なユーザであると判別する。そして、制御部４１１は、情報処理装置５からのアクセスを許可する所定の時間（例えば、３０秒）を、タイマー監視部４１２に設定する（Ｓ１３）。すなわち、制御部４１１は、タイマー監視部４１２のタイマーの値を、所定の時間にリセット（更新）する。一方、ユーザＩＤが一致しない場合（Ｓ１２：ＮＯ）、制御部４１１は、情報処理装置５からのアクセス要求を拒否（ロック）する（Ｓ２０）。
【００２５】
ここで、モバイル型記憶装置４が例えばポケットなどから取り出され、ユーザの体から離れた場合、通信監視部４１３は、発信機３に対して接続信号の送受信ができなくなる。これにより、通信監視部４１３は、発信機３と通信が切断されたことを検出し、切断通知を制御部４１１に送出する（Ｓ１４：ＹＥＳ）。制御部４１１は、切断通知を受け付けると、Ｓ１３でリセットされたタイマーの開始指示をタイマー監視部４１２に送出する（Ｓ１５）。タイマー監視部４１２は、タイマーを開始し、設定された所定の時間の経過を計測する。例えば、タイマー監視部４１２は、設定された時間（例えば３０秒）を一定時間ごとにカウントダウンしていくものとする。なお、通信監視部４１３が発信機３との通信の切断を検出しない場合、すなわち、ユーザがモバイル型記憶装置４を発信機３とともに装着し続けている場合（Ｓ１４：ＮＯ）、Ｓ１１の処理に戻る。
【００２６】
そして、制御部４１１は、情報処理装置５から記憶部４１５へのアクセス要求を受け付ける（Ｓ１６）。すなわち、ユーザは、モバイル型記憶装置４を、使用する情報処理装置５の近傍に置く（図３参照）。これにより、情報処理装置５とモバイル型記憶装置４との間には、机などの電界通信媒体を介した通信路が確立される。そして、ユーザは、情報処理装置５にログインし、モバイル型記憶装置４に対してアクセスする。すなわち、情報処理装置５のコンピュータ５１は、トランシーバ５２および電界通信媒体（机など）を介して、モバイル型記憶装置４にアクセス要求を送信する。なお、通信監視部４１３は、一旦、情報処理装置５との通信路が確立された後は、リンクパルスなどの接続信号を送受信することにより、情報処理装置５との通信状態（接続状態）を監視するものとする。
【００２７】
そして、制御部４１１は、アクセス要求を受け付けた時点において、タイムアウトか否かを判別する（Ｓ１７）。すなわち、制御部４１１は、タイマー監視部４１２のタイマーを開始した時点（Ｓ１５）から、所定の時間が経過しているか否かを判別する。なお、制御部４１１は、タイマー監視部４１２のタイマーの値（経過時間）が例えば「０秒」になっている場合、タイムアウトであると判別する。
【００２８】
タイムアウトであると判別した場合（Ｓ１７：ＹＥＳ）、制御部４１１は、情報処理装置５からのアクセス要求を拒否（ロック）する（Ｓ２０）。一方、タイムアウトでないと判別した場合、すなわち所定の時間を経過してない場合（Ｓ１７：ＮＯ）、制御部４１１は、情報処理装置５からのアクセス要求を許可する（Ｓ１８）。これにより、情報処理装置５は、モバイル型記憶装置４の記憶部４１５にアクセスし、記憶部４１５に対してデータの読み書きを行うことができる。
【００２９】
通信監視部４１３は、情報処理装置５との通信状態（接続状態）を監視している。そして、モバイル型記憶装置４が机などの電界通信媒体から離れた場合、通信監視部４１３は、情報処理装置５と通信が切断されたことを検出し、切断通知を制御部４１１に送出する（Ｓ１９：ＹＥＳ）。制御部４１１は、切断通知を受け付けると、その後の情報処理装置５からアクセス要求を拒否する（Ｓ２０）。ユーザは、再度、モバイル型記憶装置４と情報処理装置５とを接続する場合、モバイル型記憶装置４を装着し、モバイル型記憶装置４と発信機３とを通信させる必要がある。すなわち、Ｓ１１の処理に戻り、タイマー監視部４１２のタイマーを更新（リセット）する必要がある。
【００３０】
なお、切断信号を受け付けない限り（Ｓ１９：ＮＯ）、制御部４１１は、情報処理装置５からのアクセス要求を許可する（Ｓ１８）。
【００３１】
以上説明した第１の実施形態のモバイル型記憶装置４は、発信機３から受信したユーザＩＤとモバイル型記憶装置４に記憶されたユーザＩＤと照合する。そして、ユーザＩＤが一致する場合、発信機３を所持するユーザが当該モバイル型記憶装置４の正当なユーザであると判別し、情報処理装置５からのアクセスを許可する時間を更新する。これにより、第三者が他人のモバイル型記憶装置４を取得した場合であっても、第三者の発信機３のユーザＩＤと他人のモバイル型記憶装置４のユーザＩＤとは一致しないため、第三者は他人のモバイル型記憶装置４にアクセスすることができない。すなわち、モバイル型記憶装置４が盗難された場合であっても、第三者のモバイル型記憶装置４へのアクセスを防止し、より高いセキュリティを確保することができる。
【００３２】
また、本実施形態では、モバイル型記憶装置４は、所定の時間内に限り、情報処理装置５からのアクセスを許可する。これにより、所定の時間を経過した後は、正当なユーザ以外の第三者は、モバイル型記憶装置４にアクセスすることができない。
【００３３】
＜第２の実施の形態＞
図５および図６は、本発明の第２の実施形態が適用されたアクセス制御システムを示している。本実施形態では、ユーザがモバイル型記憶装置４を所持する替わりにアクセスキー装置を所持し、当該アクセスキー装置を用いて端末およびファイルサーバにログインする。
【００３４】
図５（ａ）は、ユーザが、発信機３とアクセスキー装置６とを所持（装着、携帯）している状態を示した図である。ユーザは、発信機３を常時、携帯しているものとする。発信機３は、第１の実施形態の発信機３と同様の構成（図２（ｂ）参照）であって、ユーザＩＤを所定のタイミングで発信する。アクセスキー装置６は、持ち歩き可能な装置であって、端末およびファイルサーバにログインするためのアクセスキーが記憶されている。
【００３５】
図５（ｂ）は、アクセスキー装置６の概略構成図である。図示するアクセスキー装置６は、アクセスキー記憶装置６１と、図１に示すトランシーバ１と同様のトランシーバ６２とを有する。アクセスキー記憶装置６１は、制御部６１１と、タイマー監視部６１２と、通信監視部６１３と、記憶部６１５とを有する。制御部６１１は、発信機３が発信したユーザＩＤを受信するとともに、端末およびファイルサーバにアクセスキーを送信しログインする。タイマー監視部６１２は、時間の経過を測定（監視）する。通信監視部６１３は、発信機３との通信状態を監視する。記憶部６１５は、例えばメモリなどの記憶装置であって、端末およびファイルサーバにログインするためのアクセスキー（パスワードなど）が記憶されている。
【００３６】
図６（ａ）は、複数の端末７とファイルサーバ８とが、ＬＡＮなどのネットワークにより接続されたネットワークシステムを示す図である。図示するネットワークシステムにおいて、ユーザは、アクセスキー装置６を例えばポケットから取り出し、所定の端末７の近傍に置く。これによりアクセスキー装置６が、テーブルなどの電界通信媒体を介して端末７と通信可能な状態となる。
【００３７】
図６（ｂ）は、端末７の概略構成図である。端末７は、コンピュータ７１と、図１に示すトランシーバ１と同様のトランシーバ７２と、を有する。コンピュータ５１は、ＣＰＵと、メモリと、外部記憶装置と、入力装置と、出力装置と、通信制御装置とを備えた汎用的なコンピュータシステムであって、例えばパソコなどを用いることが考えられる。そして、コンピュータ７１は、ログイン処理部７１１と、通信監視部７１２とを有する。ログイン処理部７１１は、電界通信媒体およびトランシーバ７２介して、アクセスキー装置６が送信するアクセスキーを受信し、ログイン処理を行う。通信監視部７１２は、アクセスキー装置６との通信状態を監視する。
【００３８】
次に、アクセス制御システムの処理について説明する。
【００３９】
ユーザが常に携帯する発信機３は、第１の実施形態と同様に、当該発信機３を携帯している正当なユーザのユーザＩＤを、所定のタイミングで定期的に発信する。ユーザがアクセスキー装置６をポケットなどに入れて装着している場合（図５（ａ）参照）、発信機３から発信されたユーザＩＤは、電界通信媒体（ユーザの人体）を通信路として、アクセスキー装置６に到達する。すなわち、アクセスキー装置６の制御部６１１は、電界通信媒体（ユーザの人体）を介してトランシーバ６２が受信したユーザＩＤを、取得することができる。一方、アクセスキー装置６がユーザの体から離れている場合、発信機３とアクセスキー装置６との間の通信路が切断されてしまうため（通信路が存在しなくなるため）、アクセスキー装置６は、発信機３が発信したユーザＩＤを受信することができない。
【００４０】
図７は、アクセスキー装置６の処理を示すフローチャートである。アクセスキー装置６の制御部６１１は、発信機３から所定のタイミングで送信されるユーザＩＤを、電界通信媒体を介して受信する（Ｓ２１）。なお、通信監視部６１３は、一旦、発信機３との通信路が確立された後は、リンクパルスなどの接続信号を送受信することにより、発信機３との通信状態（接続状態）を監視するものとする。
【００４１】
そして、制御部６１１は、受信したユーザＩＤが当該アクセスキー装置６の記憶部６１５に記憶されたユーザＩＤと一致するか否かを判別する（Ｓ２２）。ユーザＩＤが一致する場合（Ｓ２２：ＹＥＳ）、制御部６１１は、発信機３を所持しているユーザが当該アクセスキー装置６の正当なユーザであると判別する。そして、制御部６１１は、端末７およびファイルサーバ８にログインするためのアクセスキーの送信を許可する所定の時間（例えば、３０秒）を、タイマー監視部６１２に設定する（Ｓ２３）。すなわち、制御部６１１は、タイマー監視部６１２のタイマーの値を、所定の時間にリセット（更新）する。一方、ユーザＩＤが一致しない場合（Ｓ２２：ＮＯ）、制御部６１１は、Ｓ２１に戻る。
【００４２】
ここで、アクセスキー装置６が例えばポケットなどから取り出され、ユーザの体から離れた場合、通信監視部６１３は、発信機３に対して接続信号の送受信ができなくなる。これにより、通信監視部６１３は、発信機３との通信が切断されたことを検出し、切断通知を制御部６１１に送出する（Ｓ２４：ＹＥＳ）。制御部６１１は、切断通知を受け付けると、Ｓ２３でリセットされたタイマーの開始指示をタイマー監視部６１２に送出する（Ｓ２５）。タイマー監視部６１２は、タイマーを開始し、設定された所定の時間の経過を計測する。例えば、タイマー監視部６１２は、設定された時間（例えば３０秒）を一定時間ごとにカウントダウンしていくものとする。なお、通信監視部６１３が発信機３との通信の切断を検出しない場合、すなわち、ユーザがアクセスキー装置６を発信機３とともに装着し続けている場合（Ｓ２４：ＮＯ）、Ｓ２１の処理に戻る。
【００４３】
そして、制御部６１１は、電界通信媒体を介して、端末７との通信路を確立する（Ｓ２６）。すなわち、ユーザは、アクセスキー装置６を、使用する端末７の近傍に置く（図６（ａ）参照）。これにより、端末７とアクセスキー装置６との間には、机などの電界通信媒体を介した通信路が確立される。
【００４４】
そして、制御部６１１は、端末７との通信路が確立した時点において、タイムアウトか否かを判別する（Ｓ２７）。すなわち、制御部６１１は、タイマー監視部６１２のタイマーを開始した時点（Ｓ２５）から所定の時間が経過しているか否かを、タイマー監視部６１２のタイマーの値（経過時間）を参照して判別する。タイムアウトでないと判別した場合、すなわち所定の時間を経過してない場合（Ｓ２７：ＮＯ）、制御部６１１は、記憶部６１５に記憶されたアクセスキーを読み出して、読み出したアクセスキーを含むログイン要求を、電界通信媒体を介して端末７に送信する（Ｓ２８）。なお、ログイン要求は、端末７に対するログイン要求だけでなく、ファイルサーバ８に対すログイン要求も含まれているものとする。一方、タイムアウトであると判別した場合（Ｓ２７：ＹＥＳ）、制御部６１１は、ログイン要求を送信することなく、Ｓ２１の処理に戻る。
【００４５】
図８は、端末７の処理を示すフローチャートである。端末７のログイン処理部７１１は、電界通信媒体およびトランシーバ７２を介して、アクセスキー装置６からログイン要求を受信する（Ｓ３１）。そして、ログイン処理部７１１は、ログイン要求に含まれるアクセスキーに基づいて、ログイン処理を行う（Ｓ３２）。すなわち、ログイン処理部７１１は、正当なアクセスキーの場合はログインを許可し、不正なアクセスキーの場合はログインを拒否する。また、ログイン処理部７１１は、ログイン要求に含まれるアクセスキーを、ネットワークを介してファイルサーバ８に送信し、ファイルサーバ８に対するログイン処理も併せて行う。
【００４６】
なお、端末７の通信監視部７１２は、一旦、アクセスキー装置６との通信路が確立された後は、リンクパルスなどの接続信号を送受信することにより、アクセスキー装置６との通信状態（接続状態）を監視するものとする。そして、アクセスキー装置６が机などの電界通信媒体から離れた場合、通信監視部７１２は、アクセスキー装置６と通信が切断されたことを検出し、切断通知をログイン処理部７１１に送出する（Ｓ３３：ＹＥＳ）。
【００４７】
ログイン処理部７１１は、切断通知を受け付けると、強制的にログアウト処理を行う（Ｓ３４）。ユーザは、再度、端末７にログインする場合、アクセスキー装置６を装着し、アクセスキー装置６と発信機３とを通信させる必要がある。すなわち、図７の処理を行う必要がある。なお、切断信号を受け付けない限り（Ｓ３３：ＮＯ）、ユーザは、端末７およびファイルサーバ８を使用することができる。
【００４８】
以上説明した処理により、アクセスキー装置６は、発信機３から受信したユーザＩＤが一致する場合であって、かつ、所定の時間内に端末７との通信路が確立された場合に限って、アクセスキーを端末７に送信し自動ログイン処理を行う。したがって、悪意のある第三者がアクセスキー装置６を用いて端末７およびファイルサーバに不正にログインすることを防止し、より高いセキュリティを確保することができる。
【００４９】
以上、本発明の各実施の形態について説明してきたが、本発明の要旨を逸脱しない範囲において、本発明の実施の形態に対して種々の変形や変更を施すことができる。
【図面の簡単な説明】
【００５０】
【図１】本発明の実施の形態に用いられるトランシーバの概略構成を示すブロック図である。
【図２】第１の実施形態に係るモバイル記憶システムの構成を示す図である。
【図３】第１の実施形態のモバイル型記憶システムと情報処理装置とを示す図である。
【図４】第１の実施形態のフローチャートである。
【図５】第２の実施形態に係るアクセス制御システムの構成を示す図である。
【図６】第２の実施形態のアクセスキー装置を端末に接続した場合の模式図である。
【図７】第２の実施形態のアクセスキー装置のフローチャートである。
【図８】第２の実施形態の端末のフローチャートである。
【図９】トランシーバを介してウェアラブルコンピュータを人間に装着して使用する場合の例を示す説明図である。
【符号の説明】
【００５１】
１  トランシーバ
２  コンピュータ
３  発信機
４  モバイル型記憶装置
５  情報処理装置
６  アクセスキー装置
７  端末
８  ファイルサーバ
９０１  Ｉ／Ｏ回路
９０２  送信部
９０３  送受信電極
９０４  絶縁膜
９０５  電界検出光学部
９０６  信号処理回路
９０７  波形整形回路
９１０  受信部
【図１】
2007189310.tif 000003
【図２】
2007189310.tif 000004
【図３】
2007189310.tif 000005
【図４】
2007189310.tif 000006
【図５】
2007189310.tif 000007
【図６】
2007189310.tif 000008
【図７】
2007189310.tif 000009
【図８】
2007189310.tif 000010
【図９】
2007189310.tif 000011